【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
投影部（３ａ）へ画像を投影することにより、前記画像を視認可能に虚像表示する虚像表示装置であって、
光源光を発する光源部（３１，２３１）と、
配列方向（ＡＤＤ）に沿って並べられた複数の分配面（４４５）を有し、前記光源光を分配して面状照明を行なう分配ユニット（４３７ａ，４３７ｂ）と、
前記分配ユニットを通じて照明されることにより、画面（２２）に前記画像を形成する画像形成部（２１，４２１，５２１）と、を備え、
各前記分配面は、前記配列方向に対して傾斜して配置され、前記配列方向に沿って入射する前記光源光を部分的に前記配列方向とは交差する所定方向（ＲＤ）へ反射すると共に、前記配列方向に沿って入射する前記光源光を部分的に前記配列方向に沿って透過させることにより、各前記分配面にて前記光源光が分配されつつ、各前記分配面から前記所定方向への照明が行われるように構成されており、
前記分配ユニットは、複数設けられ、
複数の前記分配ユニットが前記所定方向に沿って互いに積層されて１つの前記画像形成部を照明し、
各前記分配ユニットにおける前記配列方向に沿って並べられた前記複数の分配面について、前記光源光が先に入射する側を始端側と定義し、前記始端側とは反対側を終端側と定義すると、
複数の前記分配ユニットのうち、１つの分配ユニットの前記終端側から透過した前記光源光を、他の１つの分配ユニットの前記始端側へ導光する導光部（４５０）を、さらに備える虚像表示装置。
【請求項２】
各前記分配ユニットにおいて、各前記分配面の反射率は、前記終端側から前記始端側へ向かうに従って低くなるように設定されている請求項１に記載の虚像表示装置。
【請求項３】
前記画像形成部は、特定の偏光方向の光によって前記画像を形成し、
前記１つの分配ユニットから、各前記分配面を用いて前記光源光のうち前記特定の偏光方向の成分を前記所定方向へ反射すると共に、前記特定の偏光方向とは直交する成分を前記導光部へ射出し、
前記導光部は、前記特定の偏光方向とは直交する成分を、前記特定の偏光方向の成分に変換した上で、前記他の１つの分配ユニットの前記始端側へ導光することにより、前記他の１つの分配ユニットから、各前記分配面を用いて前記光源光のうち前記特定の偏光方向の成分を前記所定方向へ反射させる請求項１又は２に記載の虚像表示装置。
【請求項４】
各前記分配ユニットは、前記分配面を含むように、照明を行なう複数の光学面（４４４ａ，４４４ｂ）を有し、
各前記分配ユニットにおいて、前記終端側からｎ番目の前記光学面の前記特定の偏光方向の成分の反射率をＲｎと定義すると、
Ｒｎ＝１／ｎが成立する請求項３に記載の虚像表示装置。
【請求項５】
前記配列方向とは別の配列方向（ＡＤＤｓ）に沿って並べられた複数のサブ分配面（２５３）を有し、前記光源光を分配して、前記１つの分配ユニットの前記始端側に対して面状照明を行なうサブユニット（２５０）を、さらに備える請求項１から４のいずれか１項に記載の虚像表示装置。
【請求項６】
前記画像形成部は、板状に形成され、
各前記分配ユニットは、前記画像形成部に沿うように配置された板状に形成され、
各前記分配ユニットにおいて、各前記分配面は、前記所定方向へ反射した前記光源光が、前記画像形成部に斜め入射するように配置されている請求項１から５のいずれか１項に記載の虚像表示装置。
【請求項７】
照明に用いられる照明用光学素子であって、
配列方向（ＡＤＤ）に沿って並べられた複数の分配面（４４５）を有し、光を分配して面状照明を行なう分配ユニット（４３７ａ，４３７ｂ）を備え、
各前記分配面は、前記配列方向に対して傾斜して配置され、前記配列方向に沿って入射する前記光を部分的に前記配列方向とは交差する所定方向（ＲＤ）へ反射すると共に、前記配列方向に沿って入射する前記光を部分的に前記配列方向に沿って透過させることにより、各前記分配面にて前記光が分配されつつ、各前記分配面から前記所定方向への照明が行なわれるように構成されており、
前記分配ユニットは、複数設けられ、
複数の前記分配ユニットが前記所定方向に沿って互いに積層されて１つの対象を照明し、
各前記分配ユニットにおける前記配列方向に沿って並べられた前記複数の分配面について、前記光が先に入射する側を始端側と定義し、前記始端側とは反対側を終端側と定義すると、
複数の前記分配ユニットのうち、１つの分配ユニットの前記終端側から透過した前記光を、他の１つの分配ユニットの前記始端側へ導光する導光部（４５０）を、さらに備える照明用光学素子。
【請求項８】
照明に用いられる照明用バックライトであって、
光源光を発する光源部（３１，２３１）と、
配列方向（ＡＤＤ）に沿って並べられた複数の分配面（４４５）を有し、前記光源光を分配して面状照明を行なう分配ユニット（４３７ａ，４３７ｂ）と、を備え、
各前記分配面は、前記配列方向に対して傾斜して配置され、前記配列方向に沿って入射する前記光源光を部分的に前記配列方向とは交差する所定方向（ＲＤ）へ反射すると共に、前記配列方向に沿って入射する前記光源光を部分的に前記配列方向に沿って透過させることにより、各前記分配面にて前記光源光が分配されつつ、各前記分配面から前記所定方向への照明が行われるように構成されており、
前記分配ユニットは、複数設けられ、
複数の前記分配ユニットが前記所定方向に沿って互いに積層されて１つの対象を照明し、
各前記分配ユニットにおける前記配列方向に沿って並べられた前記複数の分配面について、前記光源光が先に入射する側を始端側と定義し、前記始端側とは反対側を終端側と定義すると、
複数の前記分配ユニットのうち、１つの分配ユニットの前記終端側から透過した前記光源光を、他の１つの分配ユニットの前記始端側へ導光する導光部（４５０）を、さらに備える照明用バックライト。
【請求項９】
画像を表示する表示器であって、
光源光を発する光源部（３１，２３１）と、
配列方向（ＡＤＤ）に沿って並べられた複数の分配面（４４５）を有し、前記光源光を分配して面状照明を行なう分配ユニット（４３７ａ，４３７ｂ）と、
前記分配ユニットを通じて照明されることにより、画面（２２）に画像を形成する画像形成部（２１，４２１，５２１）と、を備え、
各前記分配面は、前記配列方向に対して傾斜して配置され、前記配列方向に沿って入射する前記光源光を部分的に前記配列方向とは交差する所定方向（ＲＤ）へ反射すると共に、前記配列方向に沿って入射する前記光源光を部分的に前記配列方向に沿って透過させることにより、各前記分配面にて前記光源光が分配されつつ、各前記分配面から前記所定方向への照明が行なわれるように構成されており、
前記分配ユニットは、複数設けられ、
複数の前記分配ユニットが前記所定方向に沿って互いに積層されて１つの前記画像形成部を照明し、
各前記分配ユニットにおける前記配列方向に沿って並べられた前記複数の分配面について、前記光源光が先に入射する側を始端側と定義し、前記始端側とは反対側を終端側と定義すると、
複数の前記分配ユニットのうち、１つの分配ユニットの前記終端側から透過した前記光源光を、他の１つの分配ユニットの前記始端側へ導光する導光部（４５０）を、さらに備える表示器。
【手続補正２】
【補正対象書類名】明細書
【補正対象項目名】００１０
【補正方法】変更
【補正の内容】
【００１０】
ここに開示されたひとつの態様は、投影部（３ａ）へ画像を投影することにより、画像を視認可能に虚像表示する虚像表示装置であって、
光源光を発する光源部（３１，２３１）と、
配列方向（ＡＤＤ）に沿って並べられた複数の分配面（４４５）を有し、光源光を分配して面状照明を行なう分配ユニット（４３７ａ，４３７ｂ）と、
分配ユニットを通じて照明されることにより、画面（２２）に画像を形成する画像形成部（２１，４２１，５２１）と、を備え、
各分配面は、配列方向に対して傾斜して配置され、配列方向に沿って入射する光源光を部分的に配列方向とは交差する所定方向（ＲＤ）へ反射すると共に、配列方向に沿って入射する光源光を部分的に配列方向に沿って透過させることにより、各分配面にて光源光が分配されつつ、各分配面から所定方向への照明が行われるように構成されており、
分配ユニットは、複数設けられ、
複数の分配ユニットが所定方向に沿って互いに積層されて１つの画像形成部を照明し、
各分配ユニットにおける配列方向に沿って並べられた複数の分配面について、光源光が先に入射する側を始端側と定義し、始端側とは反対側を終端側と定義すると、
複数の分配ユニットのうち、１つの分配ユニットの終端側から透過した光源光を、他の１つの分配ユニットの始端側へ導光する導光部（４５０）を、さらに備える。
【手続補正３】
【補正対象書類名】明細書
【補正対象項目名】００１３
【補正方法】変更
【補正の内容】
【００１３】
ここに開示された他のひとつの態様は、照明に用いられる照明用光学素子であって、
配列方向（ＡＤＤ）に沿って並べられた複数の分配面（４４５）を有し、光を分配して面状照明を行なう分配ユニット（４３７ａ，４３７ｂ）を備え、
各分配面は、配列方向に対して傾斜して配置され、配列方向に沿って入射する光を部分的に配列方向とは交差する所定方向（ＲＤ）へ反射すると共に、配列方向に沿って入射する光を部分的に配列方向に沿って透過させることにより、各分配面にて光が分配されつつ、各分配面から所定方向への照明が行なわれるように構成されており、
分配ユニットは、複数設けられ、
複数の分配ユニットが所定方向に沿って互いに積層されて１つの対象を照明し、
各分配ユニットにおける配列方向に沿って並べられた複数の分配面について、光が先に入射する側を始端側と定義し、始端側とは反対側を終端側と定義すると、
複数の分配ユニットのうち、１つの分配ユニットの終端側から透過した光を、他の１つの分配ユニットの始端側へ導光する導光部（４５０）を、さらに備える。
【手続補正４】
【補正対象書類名】明細書
【補正対象項目名】００１５
【補正方法】変更
【補正の内容】
【００１５】
ここに開示された他のひとつの態様は、照明に用いられる照明用バックライトであって、
光源光を発する光源部（３１，２３１）と、
配列方向（ＡＤＤ）に沿って並べられた複数の分配面（４４５）を有し、光源光を分配して面状照明を行なう分配ユニット（４３７ａ，４３７ｂ）と、を備え、
各分配面は、配列方向に対して傾斜して配置され、配列方向に沿って入射する光源光を部分的に配列方向とは交差する所定方向（ＲＤ）へ反射すると共に、配列方向に沿って入射する光源光を部分的に配列方向に沿って透過させることにより、各分配面にて光源光が分配されつつ、各分配面から所定方向への照明が行われるように構成されており、
分配ユニットは、複数設けられ、
複数の分配ユニットが所定方向に沿って互いに積層されて１つの対象を照明し、
各分配ユニットにおける配列方向に沿って並べられた複数の分配面について、光源光が先に入射する側を始端側と定義し、始端側とは反対側を終端側と定義すると、
複数の分配ユニットのうち、１つの分配ユニットの終端側から透過した光源光を、他の１つの分配ユニットの始端側へ導光する導光部（４５０）を、さらに備える。
【手続補正５】
【補正対象書類名】明細書
【補正対象項目名】００１７
【補正方法】変更
【補正の内容】
【００１７】
ここに開示された他のひとつの態様は、画像を表示する表示器であって、
光源光を発する光源部（３１，２３１）と、
配列方向（ＡＤＤ）に沿って並べられた複数の分配面（４４５）を有し、光源光を分配して面状照明を行なう分配ユニット（４３７ａ，４３７ｂ）と、
分配ユニットを通じて照明されることにより、画面（２２）に画像を形成する画像形成部（２１，４２１，５２１）と、を備え、
各分配面は、配列方向に対して傾斜して配置され、配列方向に沿って入射する光源光を部分的に配列方向とは交差する所定方向（ＲＤ）へ反射すると共に、配列方向に沿って入射する光源光を部分的に配列方向に沿って透過させることにより、各分配面にて光源光が分配されつつ、各分配面から所定方向への照明が行なわれるように構成されており、
分配ユニットは、複数設けられ、
複数の分配ユニットが所定方向に沿って互いに積層されて１つの画像形成部を照明し、
各分配ユニットにおける配列方向に沿って並べられた複数の分配面について、光源光が先に入射する側を始端側と定義し、始端側とは反対側を終端側と定義すると、
複数の分配ユニットのうち、１つの分配ユニットの終端側から透過した光源光を、他の１つの分配ユニットの始端側へ導光する導光部（４５０）を、さらに備える。